(57)【要約】【課題】  電話会社の追加サービスを受けずに、着信の際に多数の外線番号それぞれに対応する内線のＦＡＸ又は電話機を選択して呼出すことを容易とする。【解決手段】  交換網とデジタル回線で接続される外線番号対応ＴＡ１０から複数の加入者番号を外線番号とし外線に着信があった際、当該外線番号対応の着信に対して選択呼出しする接続先端末のＦＡＸ又は電話機の内線番号を、前記外線番号に対応する接続種別（ＦＡＸ・電話機・Ｆ／Ｔ切替え）と共に予め登録する外線番号テーブル３０を設け、着呼の際、受けた外線番号を検出して外線番号テーブル３０を検索し、前記外線番号に対応する接続種別からＦＡＸ又は電話機を選択し、接続先端末番号を検索して着信先を呼び出す。【選択図】    図１
2008078811.tif 000002
【特許請求の範囲】
【請求項１】
複数の加入者番号を外線に接続し、複数の内線にファクシミリ装置（以後、ＦＡＸと略称する。）及び電話機を接続して相互接続するボタン電話装置において、前記加入者番号を外線番号とし当該外線番号に対応する着信に対して選択呼出しする接続先端末の前記ＦＡＸ又は電話機の内線番号を、前記外線番号に対応する接続種別と共に予め登録する外線番号テーブルを設け、着呼の際、受けた外線番号を検出して前記外線番号テーブルを検索し、前記外線番号に対応する接続種別からＦＡＸ又は電話機を選択し接続先端末番号を検索して着信先を呼び出す呼制御手段を有することを特徴とするボタン電話装置。
【請求項２】
請求項１に記載のボタン電話装置において、前記接続種別にはＦＡＸ、電話機、及びＦＡＸ／電話機切替えの三つを含むことを特徴とするボタン電話装置。
【請求項３】
請求項１に記載のボタン電話装置において、当該ボタン電話装置と複数の前記外線番号を有する少なくとも一つのデジタル回線との間に配置され、接続される前記デジタル回線を介して着信があった際にその着信した外線番号を検出し、その着信の通信チャネルを前記ボタン電話機の外線番号に対応する外線として接続し、当該外線から当該ボタン電話装置を呼出しする外線対応アダプタを追加して備えることを特徴とするボタン電話装置。
【請求項４】
請求項３に記載のボタン電話装置において、当該ボタン電話装置と前記外線対応アダプタとの間を接続する外線がデジタル回線であることを特徴とするボタン電話装置。
【請求項５】
請求項３又は請求項４に記載のボタン電話装置において、前記外線対応アダプタが前記外線と共に内蔵されることを特徴とするボタン電話装置。
【請求項６】
請求項３から請求項５までのいずれか一つに記載のボタン電話装置において、前記デジタル回線がＩＳＤＮ及びインターネット又はＩＳＤＮ若しくはインターネットであることを特徴とするボタン電話装置。
【発明の詳細な説明】
【技術分野】
【０００１】
本発明は、複数の加入者番号を外線に接続し、複数の内線子機にファクシミリ装置（以後、ＦＡＸと略称する。）及び電話機を接続して相互接続するボタン電話装置に関し、特に着信の際にＦＡＸ及び電話機それぞれを個別に確実に呼出しするボタン電話装置に関するものである。
【背景技術】
【０００２】
従来のボタン電話装置は、主に住宅内で使用されており、一つの電話回線に複数の電話機を内線子機として接続可能である。この内線子機にＦＡＸを接続する場合、従来のボタン電話装置では、外線から電話機のベルを鳴動させる鳴動呼出信号（１６Ｈz：以後、ＲＧ信号と呼称する。）を受け、信号の計数により２０秒以内の時限を計測する。
【０００３】
図６にその一例を示す。図示されたボタン電話装置１２０は、この時限の間に、発呼側のＦＡＸから発呼トーンと呼ばれるＣＮＧ信号を受けた場合にはＦＡＸ着信と判定してＦＡＸ１２１に接続し、ＣＮＧ信号を受けなかった場合には電話機からの着呼として内線の電話機１２２を鳴動させる、所謂、ＦＡＸ／電話機切替え（以後、Ｆ／Ｔ切替えと呼称する。）手段が採用されている。
【０００４】
一方、昨今では、一つのケーブル回線で複数の加入者番号が提供される、例えば日本電信電話株式会社（ＮＴＴ）による「ｉ・ナンバーサービス」（登録商標）がある。
【０００５】
図７に示されるように、そのサービスは、ＮＴＴが宅内のＩＳＤＮ回線にｉ・ナンバー対応ＴＡ（ターミナルアダプタ）１１０を設置し、加入者が三つまでの電話番号を持てるものである。このサービスにより、住宅内に店舗を有する場合、一つを店舗のＦＡＸ１２１、他の一つを店舗の電話機１２２、残る一つをＦ／Ｔ切替えして居宅のＦＡＸ１２３又は電話機１２４それぞれに区別して接続することができる。
【０００６】
しかしながら、この接続形式では、例えば、同一宅内での電話機１２２、１２４相互間を呼出す場合、電話会社を経由するので、通話料金が必要である。
【０００７】
その改善策として、例えば、特開平７−２９８０２３号公報（特許文献１）におけるファクシミリ装置をボタン電話装置に適用できる。ＦＡＸは、通常、電話機回路を有し、着呼に対しては、Ｆ／Ｔ切替え手段を採用している。
【０００８】
図８を参照してこれを説明する。この特徴は、電話会社により設置されるｉ・ナンバー対応ＴＡ２１０が、三つの電話番号それぞれで異なるＲＧ信号、本特許文献１では、ＲＧ信号（１６Ｈz）のパルス長及びパルス間隔を相違させた、ＲＧａ信号、ＲＧｂ信号、及びＲＧｃ信号が採用されている。すなわち、ボタン電話装置２２０は、ＲＧａ信号を受けた際にＦＡＸ１２１を選択して接続し、ＲＧｂ信号を受けた際に電話機１２２を接続し、ＲＧｃ信号を受けた際にはＦ／Ｔ切替えによりＦＡＸ１２３又はＦＡＸ１２４を選択して、信号を受けた外線番号の回線に接続している。
【０００９】
しかしながら、この方法では、三つの電話番号それぞれで異なるＲＧａ信号、ＲＧｂ信号、及びＲＧｃ信号をＦＡＸ、電話機、及びＦ／Ｔ切替えそれぞれに対応させて内線のＦＡＸ又は電話機を呼出しする電話会社のサービスが必要となる。そのＲＧａ信号、ＲＧｂ信号、及びＲＧｃ信号それぞれは、本特許文献１では、ＲＧ信号（１６Ｈz）のパルス長及びパルス間隔を相違させたものであり、電話会社の「ｉ・ナンバーサービス」に追加されるサービスであるので、その費用が加算される。更に、一つのボタン電話装置で、規模が大きくなり、三つだけでなく多数の電話番号を持ち、その番号それぞれで接続先端末を設定する場合、異なるＲＧ−信号の種別が増加し、識別手段が複雑になる。
【００１０】
【特許文献１】特開平７−２９８０２３号公報
【発明の開示】
【発明が解決しようとする課題】
【００１１】
解決しようとする課題は、電話会社の追加サービスを受けずに、着信の際に多数の外線番号それぞれに対応する内線のＦＡＸ又は電話機を選択して呼出すことが困難なことである。
【課題を解決するための手段】
【００１２】
本発明は、複数の加入者番号を外線に接続し、複数の内線にファクシミリ装置（以後、ＦＡＸと略称する。）及び電話機を接続して相互接続するボタン電話装置において、着信の際に多数の外線番号それぞれに対応する内線のＦＡＸ又は電話機を選択して呼出すことを容易とするため、前記加入者番号を外線番号とし当該外線番号に対応する着信に対して選択呼出しする接続先端末の前記ＦＡＸ又は電話機の内線番号を、前記外線番号に対応する接続種別と共に予め登録する外線番号テーブルを設け、着呼の際、受けた外線番号を検出して前記外線番号テーブルを検索し、前記外線番号に対応する接続種別からＦＡＸ又は電話機を選択し接続先端末番号を検索して着信先を呼び出す呼制御手段を有することを主要な特徴とする。
【００１３】
このような構成により、外線番号テーブルで、外線番号に対応してＦＡＸ又は電話機を選択できるので、ＦＡＸと電話機とを容易に個別に呼出しできると共に、同一番号でのＦ／Ｔ切替えによりＦＡＸと電話機との切替え呼出しも可能となる。
【００１４】
前記外線番号は三つ以上であることが好ましく、前記接続種別にはＦＡＸ、電話機、及びＦＡＸ／電話機切替え（Ｆ／Ｔ切替え）の三つを含むことが好ましい。勿論、いずれか一つの接続種別でもよい。前記接続種別がＦＡＸの場合、その呼出しは無鳴動及び鳴動のいずれでもよい。
【００１５】
また、ボタン電話装置と複数の前記外線番号を有する少なくとも一つのデジタル回線との間に配置され、接続される前記デジタル回線を介して着信があった際にその着信した外線番号を検出し、その着信の通信チャネルを前記ボタン電話機の外線番号に対応する外線として接続し、当該外線から当該ボタン電話装置を呼出しする外線対応アダプタを追加して備えることができる。また、当該ボタン電話装置と前記外線対応アダプタとの間を接続する外線がデジタル回線であること、及び、前記外線対応アダプタが前記外線と共にボタン電話装置に内蔵されることが好ましい。更に、前記デジタル回線は、ＩＳＤＮ及びインターネット又はＩＳＤＮ若しくはインターネットとすることができる。
【発明の効果】
【００１６】
本発明のボタン電話装置は、加入者番号を外線番号とし当該外線番号に対応する着信に対して選択呼出しする接続先端末の前記ＦＡＸ又は電話機の内線番号を、前記外線番号に対応する接続種別と共に予め登録する外線番号テーブルを設けているため、着呼の際、受けた外線番号を検出して前記外線番号テーブルを検索し、前記外線番号に対応する接続種別からＦＡＸ又は電話機を選択し接続先端末番号を検索して着信先を呼び出すことができるので、ＦＡＸと電話機とを個別に呼び出しできると共に、同一番号でのＦ／Ｔ切替えによりＦＡＸと電話機との切替え呼び出しも容易にできるという効果がある。
【発明を実施するための最良の形態】
【００１７】
本発明では、着信の際に多数の外線番号それぞれに対応する内線のＦＡＸ又は電話機を選択して呼出すことを容易にするという目的を、電話会社の追加サービスを受けること無しで実現した。すなわち、それは、加入者番号を外線番号とし当該外線番号に対応する着信に対して選択呼出しする接続先端末の前記ＦＡＸ又は電話機の内線番号を、前記外線番号に対応する接続種別と共に予め登録する外線番号テーブルを設け、着呼の際、受けた外線番号を検出して前記外線番号テーブルを検索し、前記外線番号に対応する接続種別からＦＡＸ又は電話機を選択し接続先端末番号を検索して着信先を呼び出すことである。
【００１８】
以下に、実施態様について図面を参照して説明するが、図面は、本発明に関する着信又は着呼についてのみ示しており、発信機能のように、ボタン電話装置として必須の機能でも図示及びその説明は省略されている。また、以下の図面に対して、例えば機能ブロックの分割又は併合、手順の前後入替えなどは、本発明の趣旨、機能本質を損なわない限り自由であり、以下の説明が本発明を限定するものではない。また、異常処理についてはその説明は省略する。
【実施例１】
【００１９】
本発明の実施例１について図１を参照して説明する。
【００２０】
図１は、本発明によるボタン電話装置２０の実施の一形態をブロックで示す参照図であって、一方にＩＳＤＮの一回線を、他方に複数の外線を接続する外線番号対応ＴＡ（ターミナルアダプタ）１０が示されている。
【００２１】
外線番号対応ＴＡ１０は、例えば、ＩＳＤＮにおける基本インタフェースの二つの通信回線に三つの加入者番号が付与される上述した「ｉ・ナンバー対応ＴＡ」であり、ここでは、１次群Ｂチャネルインターフェースによる多数の加入者番号が付与される構成でもよい。複数の加入者番号それぞれには末尾に数字番号「１、２、〜」が順次付与され、着信の際に電話会社の交換網からその加入者番号が送信される。外線番号対応ＴＡ１０はＩＳＤＮから着信により接続先の加入者番号を受けた際、その通信回線を所定の外線に接続する。ここでは、加入者番号を外線番号に対応付けして数字番号「１、２、〜」で表記する。例えば、図示の加入者番号「0XX-XXXX-XXX1」は、外線「１」に着信の加入者番号「１」又は外線番号「１」とされる。図示されるように、加入者番号「１」に対しては呼出信号としてＮＲＧ（無鳴動）信号1,300Ｈzが、またそれ以外の加入者番号「２、３、４」に対してはＲＧ（鳴動）信号１６Ｈzが伝送されるとする。
【００２２】
ボタン電話装置２０は、加入者番号「１」を外線番号「１」に対応させる。「２」以下も同様である。接続種別は、外線番号「１、２、３、４」に対して「ＦＡＸ、電話機、Ｆ／Ｔ切替え、電話機」それぞれが対応する。ボタン電話装置２０は外線番号テーブル３０を有し、外線番号テーブル３０には外線番号対応にその接続種別及び接続先端末番号が予め登録されている。
【００２３】
図２は、その外線番号テーブル３０の実施の一形態を示す説明図である。図１に図２を併せ参照して着信接続の概要について説明する。例えば、外線番号「１」で着信があった際に、ボタン電話装置２０は、外線番号「１」とＮＲＧ信号とを受けるので、接続先がＦＡＸであると認識できる。ボタン電話装置２０は、外線番号「１」が外線番号テーブル３０で接続種別「ＦＡＸ」であることを確認すると共に内線番号＃１２１のＦＡＸ呼出しを行う。外線番号「２」とＲＧ信号とを受けた場合、接続先が電話機であると認識できるので、ボタン電話装置２０は、外線番号「２」が外線番号テーブル３０で接続種別「電話機」であることを確認すると共に内線番号＃１２２、＃１２５の電話機呼出しを行う。外線番号「３」とＲＧ信号とを受けた場合、接続先がＦＡＸ又は電話機であると認識できるので、ボタン電話装置２０は、外線番号「３」が外線番号テーブル３０で接続種別「Ｆ／Ｔ切替え」であることを確認すると共に発呼側ＦＡＸからのＣＮＧ信号受信の有無により内線番号＃１２３へのＦＡＸ呼出し、又は＃１２４への電話機呼出しを行う。
【００２４】
図２で示されるように、各外線番号で複数のＦＡＸ又は電話機を割当てできる。複数のＦＡＸが登録されており自動着信の場合には空きの一つのＦＡＸを選択して呼出しする。電話機の場合、空きの一つを選択してもよいが、それぞれの外線番号毎に鳴動音を変化させることができる。この構成により、異なる外線番号対応の電話機が同一フロアに配置されている場合、その識別に有効となる。異なる鳴動音は、ボタン電話装置２０が電子化されている場合、ボタン電話装置２０から送出することも、または、電話機側で設定することも容易にできる。
【００２５】
次に、図３を参照してボタン電話装置２０について説明する。図３は、ボタン電話装置２０の実施の一形態をブロックで示す説明図である。
【００２６】
ボタン電話装置２０は、外線ＩＦ（インタフェース）２１、呼制御部２２、内線ＦＡＸＩＦ２３、内線電話機ＩＦ２４、ＲＧ信号検出部２５、ＮＲＧ信号検出部２６、ＣＮＧ信号検出部２７、音声案内部２８、及びメモリ部２９を含む。メモリ部２９には外線番号テーブル３０が含まれる。
【００２７】
外線ＩＦ２１は、上述した外線番号対応の外線が接続され、形成される通信回線が呼制御部２２を介して内線と接続される。呼制御部２２は、ＲＯＭ及びＲＡＭを駆使してプログラム制御によりボタン電話装置２０の発呼及び着呼に対する機能を制御するプロセッサであり、各構成要素と内部バスにより接続し、外線・内線相互、および内線相互間の接続を制御する。その手順は後にフローチャートを参照して説明する。
【００２８】
内線ＦＡＸＩＦ２３は、ＦＡＸ１２１〜を接続し、ＦＡＸからの発呼を受付けして呼制御部２２に通知する一方、呼制御部２２の制御を受けて指定のＦＡＸを選択し指定の通信回線に接続して呼出しする。内線電話機ＩＦ２４は、電話機１２２〜を接続し、電話機からの発呼を受付けして呼制御部２２に通知する一方、呼制御部２２の制御を受けて指定された電話機を選択して呼出しする。ＲＧ信号検出部２５は、外線を介して受ける１５Ｈz 〜２０Ｈz信号を鳴動呼出信号として検出し、呼制御部２２に通知する。ＮＲＧ信号検出部２６は、外線を介して受ける１，３００Ｈz信号を無鳴動呼出信号として検出し、呼制御部２２に通知する。
【００２９】
ＣＮＧ信号検出部２７は、外線を介して受ける１，１００Ｈzの断続信号をＣＮＧ信号として検出し、呼制御部２２に通知する。ＣＮＧ信号は、発信側ＦＡＸが着信側から応答信号を受けた際に着信側にファクシミリ送信を通知する１，１００Ｈzの発呼トーンである。着呼側ＦＡＸは、ＣＮＧ信号を受けて２，１００ＨzのＣＥＤ信号をほぼ３秒間返送する。ＣＥＤ信号は、受信端末が正常受信可能なＦＡＸであることを通知する被呼局確認信号であり、発信側ではファクシミリデータ送信への切替指示信号となる。
【００３０】
音声案内部２８は、呼制御部２２の制御を受け、ここでは、Ｆ／Ｔ切替えの接続種別で自動応答した際に発呼ユーザに対して、手動のＦＡＸ開始指示及び通話の際の暫時待合せ通告を含むメッセージ（ＯＧＭ）を音声で案内出力する。メモリ部２９は上述した外線番号テーブル３０を含む。
【００３１】
更に、ボタン電話装置２０には内線を呼び出す呼出信号送出部（図示省略）が備えられるが、内線がデジタル回線のため制御信号で無鳴動又は鳴動の呼出制御を行うことができる。アナログ回線での送出部では、例えば、ＦＡＸ用には１，３００Ｈzの無鳴動呼出信号、電話機には１６Ｈzの鳴動呼出信号が送出される。
【００３２】
次に、図４Ａ及び図４Ｂに図１から図３までを併せ参照して、ボタン電話装置の着呼の際の主要動作手順について説明する。図４Ａ及び図４Ｂは、本発明によるボタン電話装置の着呼の際の主要動作手順の実施の一形態をフローチャートで示す説明図である。
【００３３】
まず、電話網から着呼を受けた際には、外線番号対応ＴＡ１０で加入者番号対応の外線に対して呼出信号が送出される。
【００３４】
従って、ボタン電話装置２０は、外線ＩＦ２１を介してＲＧ信号検出部２５又はＮＲＧ信号検出部２６が呼出信号を受信し、ＲＧ信号かＮＲＧ信号かの信号種別を検出（手順Ｓ１）し、呼制御部２２に通知する。呼制御部２２は、外線番号「１」で呼出信号がＮＲＧ信号（手順Ｓ２がＮＯ）の場合、外線番号テーブル３０で着呼した外線番号「１」の接続種別「ＦＡＸ」（手順Ｓ３のＹＥＳ）の確認により、発呼側をＦ（ファクシミリ）網と判定し応答信号を返信（手順Ｓ４）する。次いで、呼制御部２２は、外線番号テーブル３０で着呼の外線番号「１」から着信先端末番号＃１２１を選択し無鳴動呼出しすると共に、監視タイマ（図示省略）により時間計測を開始（手順Ｓ５）する。ＣＮＧ信号検出部２７が監視タイマの時限到達以前（手順Ｓ６のＮＯ）で発呼側から送信されたＣＮＧ信号の受信（手順Ｓ７のＹＥＳ）を検出した場合、呼制御部２２は、監視タイマを初期化して上記手順Ｓ５で選択したＦＡＸ１２１を着呼外線に接続し、受信のＣＮＧ信号を転送（手順Ｓ８）する。ＣＮＧ信号を受信したＦＡＸ１２１はＣＥＤ信号を送信するので、ボタン電話装置２０はこれを発呼側に転送（手順Ｓ９）し、ＦＡＸ１２１は所定のＦＡＸデータの受信動作（手順Ｓ１０）を行う。
【００３５】
一方、上記手順Ｓ２が「ＹＥＳ」で呼出信号がＲＧ信号の場合、呼制御部２２は、外線番号テーブル３０で着呼した外線番号「３」の接続種別「Ｆ／Ｔ切替え」（手順Ｓ２１のＮＯ）の確認があった際、発呼側へ応答信号を返送（手順Ｓ２２）する。次いで、呼制御部２２は、音声案内部２８を発呼側に接続し、音声案内部２８に対し発呼ユーザへ音声で案内メッセージを送信させると共に、タイマ（図示されていない）に計時を開始（手順Ｓ２３）させる。音声メッセージは、例えば「ファックスの場合はスタートボタンを押してください。お電話の場合はしばらくお待ちください。」となる。ＣＮＧ信号検出部２７がタイマの時限到達以前（手順Ｓ２４のＮＯ）に、発呼側から送信されたＣＮＧ信号の受信（手順Ｓ２５のＹＥＳ）を検出した場合、呼制御部２２は、タイマを初期化して着信先端末をＦＡＸと判定（手順Ｓ２６）する。次いで、呼制御部２２は、外線番号テーブル３０で外線番号「３」からＦＡＸ＃１２３を選択し無鳴動呼出しすると共に、対応のＦＡＸ１２３に受信のＣＮＧ信号を転送（手順Ｓ２７）する。ＣＮＧ信号を受信したＦＡＸ１２３はＣＥＤ信号を送信するので、ボタン電話装置２０はこれを発呼側に転送（手順Ｓ２８）する。一方、ＦＡＸ１２１は所定のＦＡＸデータの受信動作（手順Ｓ２９）を行う。
【００３６】
上記手順Ｓ２４が「ＹＥＳ」でタイマ時限に達した場合、呼制御部２２は、タイマを初期化して着信先端末を電話機と判定（手順Ｓ３１）する。次いで、呼制御部２２は、外線番号テーブル３０で外線番号「３」から電話機＃１２４を選択（手順Ｓ３２）し、鳴動呼出しすると共に、発呼側に呼出音（リングバックトーン）を返送（手順Ｓ３３）する。以後、着呼側の応答により通常の通話が可能な電話機接続動作（手順Ｓ３４）が完了する。
【００３７】
外線番号「２」に着呼したため、上記手順Ｓ２１が「ＹＥＳ」で、外線番号テーブル３０で外線番号対応が接続種別「電話機」の場合、手順は上記手順Ｓ３２に進み、呼制御部２２は、外線番号テーブル３０で外線番号「２」から電話機＃１２２，＃１２５の両者又はそのうちの一つを選択できる。
【００３８】
外線「４」に着呼した場合には、外線番号テーブル３０で外線番号「４」対応が接続種別「電話機」であり、電話機１２２、１２４、１２５を呼出しできる。外線「２」での着呼と区別した鳴動呼出信号により、ユーザは外線「４」による着信を識別できる。ボタン電話装置２０では、当然、受けた内線電話機から他の内線を呼び出すことができるので、その応用はボタン電話装置の使用勝手を向上させている。
【００３９】
このような構成を採用したので、着呼の際、受けた外線番号を検出して前記外線番号テーブルを検索し、前記外線番号に対応する接続種別からＦＡＸ又は電話機を選択し接続先端末番号を検索して着信先を呼び出すことができるので、ＦＡＸと電話機とを容易に個別に呼び出しできると共に、同一番号でのＦ／Ｔ切替えによりＦＡＸと電話機との切替え呼出しも容易にできる。また、外線番号テーブルの活用により、各外線番号対応の接続先端末をグループ化することが可能であり、更に、グループ構成及びその選択も容易に可能で、それぞれの鳴動呼出しを併用してその利用勝手を向上することができる。
【実施例２】
【００４０】
本発明の実施例２について図５を参照して説明する。
【００４１】
図５に示される実施の一形態は、上述した実施例１の外線番号対応ＴＡを外線対応アダプタ４０としている。外線対応アダプタ４０は、回線ＩＦ４１、外線分配部４２、及び外線番号検出部４３を有し、電話会社によるＩＳＤＮ又は／及びインターネットの電話回線を引き込んでいる。外線対応アダプタ４０は、外線分配部４２を介して着信した電話回線の電話会社に登録した電話番号（加入者番号／ＩＰ電話番号）を外線番号検出部４３で検出し、外線分配部４２がアナログ回線に形成して上述したボタン電話装置２０に接続するものである。その機能構成は、上記外線番号対応ＴＡと同一であり、ｉ・ナンバー対応ＴＡと同様である。
【００４２】
更にこの形態で、外線対応アダプタをボタン電話装置に組み込み内蔵することにより、ユーザが電話会社の特殊サービスを受けることなく、複数電話番号に対応可能にする場合に効果的である。
【実施例３】
【００４３】
本発明の実施例３について図５を参照して説明する。
【００４４】
外線対応アダプタとボタン電話装置とのインタフェースは、デジタル化が可能である。従って、外線番号対応の電話回線が不要であり、特にユーザが設備する場合には小型化に効果的である。外線対応アダプタをボタン電話装置に組み込み内蔵することにより、より広範囲の電話網、例えばＩＰ電話を含めたシステム、構内交換システムへの適用に効果がある。
【産業上の利用可能性】
【００４５】
本発明は、デジタル通信により少数の物理回線を用いてそれ以上の数の電話番号が電話会社によりユーザに登録できる場合、ボタン電話装置の内線に接続される複数のＦＡＸ及び電話機への着信を、外線番号テーブルとして予め登録された接続種別及び電話番号に対応して多彩化できる。従って、インターネットを含む電話網に接続して家庭内又は小規模企業内に設置される複数の通信端末への接続をまとめる交換システムに対する適用に効果的である。
【図面の簡単な説明】
【００４６】
【図１】本発明によるボタン電話装置の実施の一形態をシステム構成で示した説明図である。（実施例１）
【図２】図１の外線番号テーブルの実施の一形態を示した説明図である。（実施例１）
【図３】図１のボタン電話装置の実施の一形態をブロック構成で示した説明図である。（実施例１）
【図４Ａ】図１のボタン電話装置の着信の際における主要動作の部分手順の実施の一形態をフローチャートで示した説明図である。（実施例１）
【図４Ｂ】図４Ａに続く主要動作手順の実施の一形態をフローチャートで示した説明図である。（実施例１）
【図５】本発明によるボタン電話装置の実施の一形態をシステム構成で示した説明図である。（実施例２）
【図６】従来のボタン電話装置の一例を概要で示した説明図である。
【図７】従来のｉ・ナンバーサービスの一例をブロック構成で示した説明図である。
【図８】従来のボタン電話装置の一例をシステム構成で示した説明図である。
【符号の説明】
【００４７】
１０    外線番号対応ＴＡ
２０    ボタン電話装置
２１    外線ＩＦ
２２    呼制御部
２３    内線ＦＡＸＩＦ
２４    内線電話機ＩＦ
２５    ＲＧ信号検出部
２６    ＮＲＧ信号検出部
２７    ＣＮＧ信号検出部
２８    音声案内部
２９    メモリ部
３０    外線番号テーブル
【図１】
2008078811.tif 000003
【図２】
2008078811.tif 000004
【図３】
2008078811.tif 000005
【図４Ａ】
2008078811.tif 000006
【図４Ｂ】
2008078811.tif 000007
【図５】
2008078811.tif 000008
【図６】
2008078811.tif 000009
【図７】
2008078811.tif 000010
【図８】
2008078811.tif 000011